(57)【要約】      （修正有）【課題】簡単な構造配置方式により、埃又は異物の侵入を防ぎ、安定に伝動することができるユニバーサルボールユニット代替送りローラーユニットの保護カバーを提供する。【解決手段】保護カバーは、ユニバーサルボールユニット代替送りローラーユニットを覆い、保護カバー本体１０が設置される搬送装置のユニバーサルボールユニット代替送りローラーユニットの保護カバーであって、当該保護カバー本体１０の内側に当該ユニバーサルボールユニット代替送りローラーユニットの捩り台座と係合するための係合凹部１２が設けられ、当該保護カバー本体１０は当該係合凹部１２の中央部位に少なくともひとつの透かし彫り状穴１４が貫設され、当該ユニバーサルボールユニット代替送りローラーユニットの送りローラーが当該少なくとも一つの透かし彫り状穴１４を経て当該保護カバーから張出可能とすることを特徴とする。【選択図】図３
0003204111.tif 000002
【実用新案登録請求の範囲】
【請求項１】
ユニバーサルボールユニット代替送りローラーユニットを覆い、保護カバー本体が設置される搬送装置のユニバーサルボールユニット代替送りローラーユニットの保護カバーであって、当該保護カバー本体の内側に当該ユニバーサルボールユニット代替送りローラーユニットの捩り台座と係合するための係合凹部が設けられ、当該保護カバー本体は当該係合凹部の中央部位に少なくともひとつの透かし彫り状穴が貫設され、当該ユニバーサルボールユニット代替送りローラーユニットの送りローラーが当該少なくとも一つの透かし彫り状穴を経て当該保護カバーから張出可能とすることを特徴とするユニバーサルボールユニット代替送りローラーユニットの保護カバー。  
【請求項２】
当該保護カバー本体の内側に少なくとも一つの肉盗み凹部が設けられ、当該少なくとも一つの肉盗み凹部の配置位置は当該係合凹部の位置に干渉しない請求項１に記載の搬送装置のユニバーサルボールユニット代替送りローラーユニットの保護カバー。
【請求項３】
当該保護カバー本体は合成樹脂、プラスチックまたは金属材料から一体成型されたカバーであり、当該保護カバー本体の厚みが１０ｍｍ以上３０ｍｍ以下である請求項１に記載の搬送装置のユニバーサルボールユニット代替送りローラーユニットの保護カバー。
【請求項４】
捩り台座が設けられ、当該捩り台座に請求項１、請求項２又は請求項３に記載の保護カバーを覆う搬送装置のユニバーサルボールユニット代替送りローラーユニット。
【請求項５】
請求項１、請求項２又は請求項３の何れかに記載の保護カバーが設置されることを特徴とする搬送装置。
【請求項６】
請求項４に記載の搬送装置のユニバーサルボールユニット代替送りローラーユニットが設けられることを特徴とする搬送装置。
【考案の詳細な説明】
【技術分野】
【０００１】
本考案はその二次元空間の搬送面に複数の送り部が分散配置され、各送り部が順に荷物を送ることで、荷物搬を所定の位置に搬送する搬送装置に関わり、特に搬送装置のユニバーサルボールユニット代替送りローラーユニットに用いられる保護カバーに関わる。  
【背景技術】
【０００２】
図７に示すように、従来の搬送システムでは、複数の搬送装置３０を縦方向及び横方向の接続・配列方式で形成し、各搬送装置３０の上に搬送面３２を設置することで荷物Ｗを各搬送面３２により所定の位置に移動させ、図８に示すように、各搬送装置３０は二次元空間（ＸＹ平面）内に分散配置された複数のユニバーサルボールユニット代替送りローラーユニット１００（送り部ともいう）から構成され、各ユニバーサルボールユニット代替送りローラーユニット１００はサーボモーター（図示しない）に駆動され、当該ＸＹ平面内に自由に回転することにより、当該搬送装置３０が荷物Ｗを運送する前進方向を調整し、また各ユニバーサルボールユニット代替送りローラーユニット１００の上部に荷物Ｗの運送用の一対の送りローラー４６が設置され、各送りローラー４６はサーボモーターの駆動により回動自由になるとともに、荷物Ｗを運送して前進させる。
【０００３】
従来の搬送装置３０のユニバーサルボールユニット代替送りローラーユニット１００には捩りギヤーと送りギヤーとが設置され、当該ユニバーサルボールユニット代替送りローラーユニット１００は当該送りギヤーの回転により、送りローラー４６を回動させ、荷物Ｗを搬送し、当該捩りギヤーの回転により、当該ユニバーサルボールユニット代替送りローラーユニット１００にある角度回動させ、搬送方向を変える効果を実現する。
【０００４】
しかし、従来の搬送装置３０及びそのユニバーサルボールユニット代替送りローラーユニット１００には以下のような欠点と不足点がある。従来の搬送装置３０のユニバーサルボールユニット代替送りローラーユニット１００が荷物Ｗに接触して荷物Ｗを搬送するため、当該搬送面３２上にユニバーサルボールユニット代替送りローラーユニット１００の張出可能な円穴を設置しなければならず、荷物Ｗが搬送面に伝送されている際に、荷物Ｗに付いている埃または紙屑またはゴミなどの異物は前記の円穴を経て落ち、特に当該ユニバーサルボールユニット代替送りローラーユニット１００の伝動構造に入り込み、ユニバーサルボールユニット代替送りローラーユニット１００の長時間の運行過程中に、落ち込んだ埃又は異物がその伝動構造に大量集積又は堆積し、さらにギヤーの噛み合い又は伝動の失効を起こす可能性もあり、そして当該ユニバーサルボールユニット代替送りローラーユニット１００は安定に荷物Ｗを搬送できなくなり、異物が比較的に硬い材質を備える場合、一旦に異物が当該ユニバーサルボールユニット代替送りローラーユニット１００の伝動構造に入り込むと、ギヤーの損傷を起こしがちで、従来の搬送装置３０の作動に影響を与えるため、改善する必要がある。
【考案の概要】
【考案が解決しようとする課題】
【０００５】
従って、本考案は従来搬送装置及びそのユニバーサルボールユニット代替送りローラーユニットの実際操作中の欠点及び不足点に鑑みて、重なった試験と研究の結果で、従来の欠点を改善できる本考案を実現し、本考案の搬送装置、ユニバーサルボールユニット代替送りローラーユニット及びその保護カバーは簡単な構造配置方式により、埃又は異物の侵入を防ぎ、安定に伝動することができる搬送装置、ユニバーサルボールユニット代替送りローラーユニット及びその保護カバーを提供することを目的とする。
【課題を解決するための手段】
【０００６】
上記目的を達成するために、本考案はユニバーサルボールユニット代替送りローラーユニットを覆い、保護カバー本体が設置される搬送装置のユニバーサルボールユニット代替送りローラーユニットの保護カバーであって、当該保護カバー本体の内側に当該ユニバーサルボールユニット代替送りローラーユニットの捩り台座と係合するための係合凹部が設けられ、当該保護カバー本体は当該係合凹部の中央部位に少なくともひとつの透かし彫り状穴が貫設され、当該ユニバーサルボールユニット代替送りローラーユニットの送りローラーが当該少なくとも一つの透かし彫り状穴を経て当該保護カバーから張出可能とすることを特徴とする保護カバーを提供する。
【０００７】
さらに、当該保護カバー本体の内側に少なくとも一つの肉盗み凹部が設けられ、当該少なくとも一つの肉盗み凹部の配置位置は当該係合凹部の位置に干渉しない。
【０００８】
さらに、当該保護カバー本体は合成樹脂、プラスチックまたは金属材料から一体成型されたカバーであり、当該保護カバー本体の厚みが１０ｍｍ以上３０ｍｍ以下である。
【０００９】
本考案は、捩り台座が設けられ、当該捩り台座に上記のような保護カバーを覆う搬送装置のユニバーサルボールユニット代替送りローラーユニットをさらに提供する。
【００１０】
本考案は、上記のような保護カバー又は上記のような搬送装置のユニバーサルボールユニット代替送りローラーユニットが設置されることを特徴とする搬送装置をさらに提供する。
【００１１】
上記の技術的特徴により、本考案の搬送装置のユニバーサルボールユニット代替送りローラーユニットの保護カバーは、紙、ゴミなどの埃又は異物が搬送面から当該ユニバーサルボールユニット代替送りローラーユニットに落ち込むことを有効に防ぎ、これによる伝動構造の失効または損壊の現象を避けて、当該ユニバーサルボールユニット代替送りローラーユニットの長時間運転の耐久性を保証することができ、当該少なくとも一つの肉盗み凹部を設ける方式により、当該ユニバーサルボールユニット代替送りローラーユニットの保護カバーが比較的に軽い重量を備えることを確保することができると共にコストダウンに寄与する。さらに、当該保護カバー本体は合成樹脂、プラスチック又は金属材料から一体成型されたカバーであり、当該ユニバーサルボールユニット代替送りローラーユニットの保護カバーを簡単に製造することを確保することができ、その低コストでの生産に役立つ。また、前記の保護カバーを搬送装置及びそのユニバーサルボールユニット代替送りローラーユニットに適用することで、紙、ゴミなどの埃又は異物が当該ユニバーサルボールユニット代替送りローラーユニットに落ち込むことを有効に防ぎ、これによる伝動構造の失効又は損壊の現象を避けて、搬送装置の長時間の安定な運行を確保することができる。これにより、埃又は異物の侵入を防ぎ、安定に伝動することができる搬送装置、ユニバーサルボールユニット代替送りローラーユニット及びその保護カバーを提供する。
【図面の簡単な説明】
【００１２】
【図１】本考案の搬送装置のユニバーサルボールユニット代替送りローラーユニットに用いられる保護カバーの斜視外観図。
【図２】本考案の搬送装置のユニバーサルボールユニット代替送りローラーユニットに用いられる保護カバーのもう一つの斜視外観図。
【図３】本考案の搬送装置のユニバーサルボールユニット代替送りローラーユニットに用いられる保護カバーの上面図。
【図４】本考案の搬送装置のユニバーサルボールユニット代替送りローラーユニットに用いられる保護カバーの図３のＡ−Ａ断面線に沿う断面前面概略図。
【図５】本考案の搬送装置のユニバーサルボールユニット代替送りローラーユニットに用いられる保護カバーの図６のＣ−Ｃ断面線に沿う断面前面概略図。
【図６】本考案の搬送装置のユニバーサルボールユニット代替送りローラーユニットに用いられる保護カバーの図５のＢ−Ｂ断面線に沿う断面前面概略図。
【図７】従来の搬送システムの上面概略図。
【図８】従来の搬送装置のユニバーサルボールユニット代替送りローラーユニットの構造配置の拡大上面概略図。
【考案を実施するための形態】
【００１３】
本考案の技術的特徴及び実用効果を詳しく理解し、明細書の内容に基づき実現するために、図面に示す好ましい実施例により、以下に詳細に説明する。
【００１４】
図１〜４に示す搬送装置のユニバーサルボールユニット代替送りローラーユニットに用いられる保護カバーを参照し、当該保護カバーには保護カバー本体１０が設けられ、当該保護カバー本体１０が合成樹脂、プラスチック、金属等の材料から一体成型され、当該保護カバー本体１０の厚みが１０ｍｍ以上３０ｍｍであることが好ましく、当該保護カバー本体１０の中央部位に係合凹部１２が設けられ、当該係合凹部１２の形状輪郭が図６に示すように、ユニバーサルボールユニット代替送りローラーユニット１００の捩り台座４４、ローラシャフト５０及び従動プーリー６５の形状に合わせ、当該係合凹部１２により保護カバー本体１０を当該捩り台座４４に係合することができ、当該係合凹部１２の中段部に一つ又は複数の透かし彫り状穴１４が設けられ、当該透かし彫り状穴１４の形状が当該送りローラー４６と同じであり、当該送りローラー４６が当該透かし彫り状穴１４から張出可能になり、さらに各送りローラー４６を搬送面３２で荷物Ｗと接触させることができ、好ましいことには、当該係合凹部１２に二つの透かし彫り状穴１４が設けられ、また、当該保護カバー本体１０の内側面に重量を減少するための肉盗み凹部１６が設けられ、当該肉盗み凹部１６は当該保護カバー本体１０の内側に設けられ、該係合凹部１２の設置位置に干渉しなく、好ましいことには、当該保護カバー本体１０に一つ又は複数の肉盗み凹部１６が設けられる。
【００１５】
図５及び６に示すように、本考案に提供された保護カバーは搬送装置のユニバーサルボールユニット代替送りローラーユニット１００に装着可能であり、当該保護カバー本体１０の係合凹部１２は当該ユニバーサルボールユニット代替送りローラーユニット１００の捩り台座４４に係合可能とし、各送りローラー４６を透かし彫り状穴１４から張出させ、さらに各送りローラー４６が搬送面３２で搬送された荷物Ｗと接触することができる。
【００１６】
上記の技術的特徴により、本考案の搬送装置のユニバーサルボールユニット代替送りローラーユニット１００の保護カバーは紙、ゴミなどの埃又は異物が搬送面から当該ユニバーサルボールユニット代替送りローラーユニット１００に落ち込む事を有効に防ぎ、これによる伝動構造の失効又は損壊の現象を避けて、当該ユニバーサルボールユニット代替送りローラーユニット１００の長時間運転の耐久性を確保することができ、そして当該少なくとも一つの肉盗み凹部１６を設ける方式により、当該ユニバーサルボールユニット代替送りローラーユニット１００の保護カバーが比較的に軽い重量を備えることを確保でき、コストダウンに寄与する。さらに、当該保護カバー本体１０は合成樹脂、プラスチック又は金属材料から一体成型されたカバーであり、当該ユニバーサルボールユニット代替送りローラーユニット１００の保護カバーを簡単に製造することを確保すると共に、その低コストでの生産に役立つ。また、前記の保護カバーを搬送装置３０及びそのユニバーサルボールユニット代替送りローラーユニット１００に用いて、紙、ゴミなどの埃又は異物が搬送面から当該ユニバーサルボールユニット代替送りローラーユニット１００に落ち込むことを有効に防ぎ、これによる伝動構造の失効又は損壊の現象を避け、さらに搬送装置の長時間の安定な運行を確保することができる。これにより埃又は異物の侵入を防ぎ、安定に伝動可能な搬送装置、ユニバーサルボールユニット代替送りローラーユニット１００及びその保護カバーを提供する。
【００１７】
上述は本考案の好適な実施例だけであり、本考案を制限しておらず、当業者が本考案に提出された技術的特徴の範囲内で本考案に提出された技術内容を一部変更、又は修飾した同等効果の実施例はいずれも本考案の技術的特徴の範囲に属している。
【符号の説明】
【００１８】
１０保護カバー本体               １２係合凹部
１４透かし彫り状穴               １６肉盗み凹部
３０搬送装置                     ３２搬送面
４４捩り台座                     ４６送りローラー
５０ローラシャフト               ６５従動プーリー
１００ユニバーサルボールユニット代替送りローラーユニット  Ｗ荷物
【図１】
0003204111.tif 000003
【図２】
0003204111.tif 000004
【図３】
0003204111.tif 000005
【図４】
0003204111.tif 000006
【図５】
0003204111.tif 000007
【図６】
0003204111.tif 000008
【図７】
0003204111.tif 000009
【図８】
0003204111.tif 000010